(57)【要約】【課題】  光通信装置に関し、光減衰器を挿入することなくインターフェースボードの光モジュール及び加入者側回線終端装置の光モジュールの出力光レベルを適正に自動調整する。【解決手段】  一つまたは複数のインターフェースボードと前記インターフェースボードを監視及び制御する一つの監視制御部を備えた局側回線終端装置と、前記インターフェースボードに接続された少なくとも一つの加入者側回線終端装置と、前記加入者側回線終端装置と前記インターフェースボードとの間の光信号の授受により、前記インターフェースボードの光モジュールからの出力光レベルを前記加入者側回線終端装置での受光レベルを測定することにより、前記インターフェースボードの光モジュールの出力光レベルを自動調整する手段とを備える。【選択図】        図１
2012151739.tif 000002
【特許請求の範囲】
【請求項１】
一つまたは複数のインターフェースボードと前記インターフェースボードを監視及び制御する一つの監視制御部を備えた局側回線終端装置と、
前記インターフェースボードに接続された少なくとも一つの加入者側回線終端装置と、
前記加入者側回線終端装置と前記インターフェースボードとの間の光信号の授受により、前記インターフェースボードの光モジュールからの出力光レベルを前記加入者側回線終端装置での受光レベルを測定することにより、前記インターフェースボードの光モジュールの出力光レベルを自動調整する手段と
を備えた光通信装置。
【請求項２】
一つまたは複数のインターフェースボードと前記インターフェースボードを監視及び制御する一つの監視制御部を備えた局側回線終端装置と、
前記インターフェースボードに接続された少なくとも一つの加入者側回線終端装置と、
前記加入者側回線終端装置と前記インターフェースボードとの間の光信号の授受により、前記加入者側回線終端装置の光モジュールからの出力光レベルを前記インターフェースボードでの受光レベルを測定することにより、前記加入者側回線終端装置の光モジュールの出力光レベルを自動調整する手段と
を備えた光通信装置。
【請求項３】
前記光モジュールの出力光レベルを自動調整する手段が、前記加入者側回線終端装置と前記インターフェースボードとの接続確立前のハンドシェークにおいて、前記出力光レベルを自動調整するための光信号の授受を行う機能を有する請求項１または請求項２に記載の光通信装置。
【請求項４】
前記光モジュールの出力光レベルを自動調整する手段が、運用中に定期的に前記出力光レベルを自動調整するための光信号の授受を行う機能を有する請求項１または請求項２に記載の光通信装置。
【請求項５】
前記光モジュールの出力光レベルを自動調整する手段が、前記インターフェースボードの初期立ち上げ時に、前記出力光レベルを自動調整するための光信号の授受により前記各加入者側回線終端装置に対して求めた適正な出力光レベルの内の最大値を前記インターフェースボードの光モジュールの出力光レベルとして設定する機能を有する請求項１に記載の光通信装置。
【請求項６】
前記光モジュールの出力光レベルを自動調整する手段が、前記局側回線終端装置に新規な加入者側回線終端装置が接続された時に、前記出力光レベルを自動調整するための光信号の授受を行う機能を有する請求項１または請求項２に記載の光通信装置。
【請求項７】
前記出力光レベルを自動調整するための光信号の授受における前記インターフェースボードの光モジュールからの出力光レベルが、運用時に設定した出力光レベルより高く且つ既接続の前記加入者側回線終端装置の光モジュールの許容入力光レベルより低い範囲に設定する機能を有する請求項５に記載の光通信装置。
【発明の詳細な説明】
【技術分野】
【０００１】
本発明は、光通信装置に関するものであり、例えば、光減衰器を挿入することなくインターフェースボードの光モジュール及び加入者側回線終端装置の光モジュールの出力光レベルを調整するための構成に関する。
【背景技術】
【０００２】
現在、一般家庭等の加入者宅を対象とした加入者系光ファイバーネットワークシステムとして、ＧＥ-ＰＯＮ（Ｇｉｇａｂｉｔ  Ｅｔｈｅｒｎｅｔ（登録商標）-Ｐａｓｓｉｖｅ  Ｏｐｔｉｃａｌ  Ｎｅｔｗｏｒｋ）システムが知られている。
【０００３】
このＧＥ-ＰＯＮシステムでは、光ファイバーケーブルと光スターカプラー或いは光スプリッターを用いて１台の局側回線終端装置（ＯＬＴ：Ｏｐｔｉｃａｌ  Ｌｉｎｅ  Ｔｅｒｍｉｎａｌ）と複数台の加入者側回線終端装置（ＯＮＵ：Ｏｐｔｉｃａｌ  Ｎｅｔｗｏｒｋ  Ｕｎｉｔ）を接続しており、局側回線終端装置（ＯＬＴ）と加入者側回線終端装置（ＯＮＵ）との間でＧｂｉｔ／ｓ単位の通信速度で双方向通信を行う。
【０００４】
図８は、従来のＧＥ-ＰＯＮシステムのシステム構成図であり、局側回線終端装置５０と複数の加入者側回線終端装置６０とが基幹光ファイバー７１と光スターカプラー７２と分岐光ファイバー７３を介して接続されている。局側回線終端装置５０は、複数のインターフェースボード５１と監視制御部５６とを備えている。
【０００５】
図９は、従来のＧＥ-ＰＯＮシステムのブロック図であり、各インターフェースボード５１は光モジュール５２とＡＳＩＣ（Ａｐｐｌｉｃａｔｉｏｎ  Ｓｐｅｃｉｆｉｃ  ＩＣ）５３とＦＰＧＡ（Ｆｉｅｌｄ  Ｐｒｏｇｒａｍｍａｂｂｌｅ  Ｇａｔｅ  Ａｒｒａｙ）５４を備えている。また、監視制御部５６は、ＭＰＵ（Ｍｉｃｒｏ-Ｐｒｏｃｅｓｓｉｎｇ  Ｕｎｉｔ）５７とＦＰＧＡ５８を備えている。一方、加入者側回線終端装置６０は、光モジュール６１とＡＳＩＣ６２を備えている。
【０００６】
各インターフェースボード５１に搭載されている光モジュール５２の出力レベルは固定となっていて、加入者側回線終端装置６０とインターフェースボード５１の距離に応じて、光減衰器５９を取り付けることによって加入者側回線終端装置６０での受光レベルを下げ、過大な受光レベルによる光モジュールの故障を防いでいる（例えば、特許文献１参照）。
【０００７】
即ち、従来技術では、インターフェースボード５１への加入者側回線終端装置６０の接続台数が少なかったり或いは接続距離が短かったりなどで強い出力光レベルを必要としない場合でも、光レベル固定で出力しているため、インターフェースボード５１および加入者側回線終端装置６０の光モジュール６１への受光レベルが高すぎて光モジュールが故障してしまう可能性がある。
【０００８】
このため、建設者が光レベルを測定し、インターフェースボード５１に光減衰器５９を取り付けることで光を減衰し、インターフェースボード５１の光モジュール５２および加入者側回線終端装置６０の光モジュール６１が故障しないようにしている。また、入出力レベルを測定することの出来る光モジュールも知られている（例えば、特許文献２参照）。
【先行技術文献】
【特許文献】
【０００９】
【特許文献１】特開２００９−２００６３３号公報
【特許文献２】特開２００８−２３６４１２号公報
【発明の概要】
【発明が解決しようとする課題】
【００１０】
しかし、建設者が光レベルを測定し、インターフェースボードに光減衰器を取り付ける場合、建設作業が複雑になるとともに、光減衰器の分だけ部品点数が増え、低コスト化が困難であるという問題がある。
【００１１】
また、光の出力レベルを固定にしているので、一番遠方の加入者側回線終端装置との通信が可能なように、常に強い光レベルで出力しているため、消費電力・発熱が大きくなるという問題もある。
【００１２】
したがって、本発明は、光減衰器を挿入することなくインターフェースボードの光モジュール及び加入者側回線終端装置の光モジュールの出力光レベルを適正に自動調整することを目的とする。
【課題を解決するための手段】
【００１３】
開示する一観点からは、一つまたは複数のインターフェースボードと前記インターフェースボードを監視及び制御する一つの監視制御部を備えた局側回線終端装置と、前記インターフェースボードに接続された少なくとも一つの加入者側回線終端装置と、前記加入者側回線終端装置と前記インターフェースボードとの間の光信号の授受により、前記インターフェースボードの光モジュールからの出力光レベルを前記加入者側回線終端装置での受光レベルを測定することにより、前記インターフェースボードの光モジュールの出力光レベルを自動調整する手段とを備えた光通信装置が提供される。
【００１４】
また、開示する別の観点からは、一つまたは複数のインターフェースボードと前記インターフェースボードを監視及び制御する一つの監視制御部を備えた局側回線終端装置と、前記インターフェースボードに接続された少なくとも一つの加入者側回線終端装置と、前記加入者側回線終端装置と前記インターフェースボードとの間の光信号の授受により、前記加入者側回線終端装置の光モジュールからの出力光レベルを前記インターフェースボードでの受光レベルを測定することにより、前記加入者側回線終端装置の光モジュールの出力光レベルを自動調整する手段とを備えた光通信装置が提供される。
【発明の効果】
【００１５】
開示の光通信装置によれば、光減衰器を挿入することなくインターフェースボードの光モジュール及び加入者側回線終端装置の光モジュールの出力光レベルを適正に自動調整することが可能になる。
【図面の簡単な説明】
【００１６】
【図１】本発明の実施の形態の光モジュールの出力光レベルを自動調整する機能を備えた光通信装置のシステム構成図である。
【図２】本発明の実施の形態の光モジュールの出力光レベルを自動調整する機能を備えた光通信装置のブロック図である。
【図３】本発明の実施の形態の光モジュール２０の一例を示す構成図である。
【図４】本発明の実施の形態の光モジュールの出力光レベルの自動調整のシーケンスの説明図である。
【図５】本発明の実施例１のインターフェースボード初期立ち上げ時の出力光レベルの自動調整シーケンスの説明図である。
【図６】本発明の実施例２の運用時の出力光レベルの自動再調整シーケンスの説明図である。
【図７】本発明の実施例３の加入者側回線終端装置の新規接続時の出力光レベルの自動調整シーケンスの説明図である。
【図８】従来のＧＥ-ＰＯＮシステムのシステム構成図である。
【図９】従来のＧＥ-ＰＯＮシステムのブロック図である。
【発明を実施するための形態】
【００１７】
ここで、図１乃至図４を参照して、本発明の実施の形態の光モジュールの出力光レベルを自動調整する機能を備えた光通信装置を説明する。図１は、本発明の実施の形態の光モジュールの出力光レベルを自動調整する機能を備えた光通信装置のシステム構成図であり、局側回線終端装置１０と複数の加入者側回線終端装置３０とが基幹光ファイバー４１と光スターカプラー４２と分岐光ファイバー４３を介して接続されている。
【００１８】
図２は、本発明の実施の形態の光モジュールの出力光レベルを自動調整する機能を備えた光通信装置のブロック図であり、局側回線終端装置１０は、複数のインターフェースボード１１と監視制御部１６とを備えており、各インターフェースボード１１は光モジュール２０と光モジュール２０の動作の制御及び監視を行うＡＳＩＣ１２を備えている。なお、各インターフェースボード１１は従来と同様に、ＦＰＧＡも備えているが、本発明とは直接の関連がないので省略する。また、監視制御部１６は、通信装置の制御及び監視を行うＭＰＵ１７とＦＰＧＡを備えているが、ＦＰＧＡは本発明とは直接の関連がないので省略する。
【００１９】
図３は、本発明の実施の形態の光モジュール２０の一例を示す構成図であり、ＷＤＭ（Ｗａｖｅｌｅｎｇｔｈ  Ｄｉｖｉｓｉｏｎ  Ｍｕｌｔｉｐｌｅｘｉｎｇ：波長多重分割）フィルター２１、アバランシェフォトダイオード（ＡＰＤ）２２、プリアンプ（ＴＩＡ：Ｔｒａｎｓ  Ｉｍｐｅｄａｎｃｅ  Ａｍｐｌｉｆｉｅｒ）２３、増幅器２４、光アイソレーター２５、半導体レーザー２６、モニター用フォトダイオード２７、及び、駆動回路２８を備えている。
【００２０】
分岐光ファイバー４３からの光入力はＷＤＭフィルター２１を介してアバランシェフォトダイオード２２において電気信号に変換されてプリアンプ２３及び増幅器２４により増幅されてデータとして出力される。
【００２１】
一方、送信データは、駆動回路２８により電気信号として半導体レーザー２６に印加されて、光信号として、光アイソレーター２５を介してＷＤＭフィルター２１から分岐光ファイバー４３へ送られる。また、半導体レーザーからのモニター光をモニター用フォトダイオード２７で受光し、その出力を駆動回路２８にフィードバックすることによって、半導体レーザー２６の出力光レベルを予め設定した値を保つように制御する。
【００２２】
一方、加入者側回線終端装置３０は、光モジュール３１とＡＳＩＣ３２を備えている。この光モジュール３１の基本構成は、図２に示した光モジュール２０と同様の構成である。
【００２３】
図４は、本発明の実施の形態の光モジュールの出力光レベルの自動調整のシーケンスの説明図であり、インターフェースボードと加入者側回線終端装置の接続確立時のハンドシェイクや、運用中の定期的なやりとり、或いは、新規に加入者側回線終端装置を接続する際に、その接続での光通信に必要十分である光レベルを測定し、インターフェースボードおよび加入者側回線終端装置から出力される光レベルを調整する。
【００２４】
ａ．まず、インターフェースボード（ＩＦ）の光モジュールから送信されている光信号をＡＰＤで受信したＯＮＵが、その信号に対して半導体レーザーから応答信号を送信することによって、信号検出が成立する。
ｂ．次いで、ＩＦから監視制御部へ信号検出の通知を行う。
ｃ．次いで、監視制御部のＭＰＵからＩＦの光モジュールの出力光レベル及びＯＮＵの光モジュールの出力光レベルの調整開始の要求を指令する。
ｄ．次いで、指令に基づいて、ＩＦはその旨の信号を、ＩＦの半導体レーザーの初期レベル強度の光出力によりＯＮＵへ送信して、ＯＮＵの受光レベルと出力レベルを要求する。
ｅ．次いで、ＯＮＵの光モジュールのＡＰＤによりＩＦからの光信号を検出して、その出力をＡＳＩＣに出力し、ＡＳＩＣはその受光レベルについての情報をＯＮＵの光モジュールの半導体レーザーの初期レベル強度の光信号によりＩＦに送信することで、ＯＮＵ受光レベル応答及び出力レベル応答を実行する。
ｆ．次いで、ＩＦの光モジュールのＡＰＤがこの光信号を検出して、光信号中の受光レベル情報により、ＩＦの光モジュールの半導体レーザーの出力光レベルが適正範囲内であるか否かを、ＩＦに備えたＡＳＩＣで判定する。また、それと並行して、ＩＦの光モジュールのＡＰＤの受光レベルにより、ＯＮＵの光モジュールの半導体レーザーの出力レベルが適正な範囲内であるか否かをＩＦに備えたＡＳＩＣで判定する。適正範囲でない場合には、ＩＦ或いはＯＮＵに備えたＡＳＩＣにより光モジュールの駆動回路へ制御信号を送り、駆動回路により各半導体レーザーへの駆動電圧を制御し、それぞれの半導体レーザーの出力光レベルが適正になるまで、光信号のやり取りを繰り返す。なお、出力光レベルが適正になった場合の駆動電圧値は各ＡＳＩＣにメモリする。
ｇ．次いで、各半導体レーザーの出力光レベルが適正になった場合には、出力光レベル調整終了応答を監視制御部へ送信し、監視制御部では、設定した各出力光レベルに関する情報をＭＰＵにメモリすることによって、出力光レベル調整が終了する。
【００２５】
このように、本発明の実施の形態においては、インターフェースボードおよび加入者側回線終端装置の出力光レベルを調整することで、消費電力を抑えることができる。また、本発明により光減衰器を取り付ける必要がなくなるので、利便性が向上する。
【実施例１】
【００２６】
以上を前提として、次に、図５を参照して、本発明の実施例１の出力光レベルの自動調整シーケンスを説明する。図５は、本発明の実施例１のインターフェースボード初期立ち上げ時の出力光レベルの自動調整シーケンスの説明図である。
【００２７】
ａ．まず、ＩＦの初期立ち上げを行う。
ｂ．次いで、ＩＦの光モジュールから送信されている光信号をＡＰＤで受信したＯＮＵが、その信号に対して半導体レーザーから応答信号を送信することによって、信号検出が成立する。
ｃ．次いで、ＩＦから監視制御部へ信号検出の通知を行うことによって、ＩＦ初期立ち上げと信号検出通知が完了する。
ｄ．次いで、監視制御部のＭＰＵからＩＦの光モジュールの出力光レベル及びＯＮＵの光モジュールの出力光レベルの調整開始の要求を指令する。
ｅ．次いで、指令に基づいて、ＩＦはその旨の信号を、ＩＦの半導体レーザーの初期レベル強度の光出力によりＯＮＵへ送信して、ＯＮＵの受光レベルと出力レベルを要求する。
ｆ．次いで、ＯＮＵの光モジュールのＡＰＤによりＩＦからの光信号を検出して、その出力をＡＳＩＣに出力し、ＡＳＩＣはその受光レベルについての情報をＯＮＵの光モジュールの半導体レーザーの初期レベル強度の光信号によりＩＦに送信することで、ＯＮＵ受光レベル応答及び出力レベル応答を実行する。
ｇ．次いで、ＩＦの光モジュールのＡＰＤがこの光信号を検出して、光信号中の受光レベル情報により、ＩＦの光モジュールの半導体レーザーの出力光レベルが適正範囲内であるか否かを、ＩＦに備えたＡＳＩＣで判定する。また、それと並行して、ＩＦの光モジュールのＡＰＤの受光レベルにより、ＯＮＵの光モジュールの半導体レーザーの出力レベルが適正な範囲内であるか否かをＩＦに備えたＡＳＩＣで判定する。それぞれの半導体レーザーの出力光レベルが適正になるまで、光信号のやり取りを繰り返し、出力光レベルが適正になった場合の駆動電圧値は各ＡＳＩＣにメモリする。
ｈ．次いで、各半導体レーザーの出力光レベルが適正になった場合には、出力光レベル調整終了応答を監視制御部へ送信し、監視制御部では、設定した各出力光レベルに関する情報をＭＰＵにメモリすることによって、一つのＯＮＵについての出力光レベル調整が終了する。
ｉ．次いで、監視制御部のＭＰＵが、出力光レベル調整が終了したＯＮＵは最後のＯＮＵか否かを判定して、最後のＯＮＵの出力光レベル調整が終了するまで同様のシーケンスを繰り返す。
ｊ．次いで、最後のＯＮＵの出力光レベル調整が終了すると、ＭＰＵにメモリしたＩＦの光モジュールの半導体レーザーの各ＯＮＵ毎に設定した出力光レベルの中での最大の出力光レベルの値に設定するようにＩＦのＡＳＩＣにその設定値をメモリすることによって、接続が確立する。
【００２８】
このように、本発明の実施例１においては、インターフェースボードの初期立ち上げ時の接続確立前のＯＬＴとＯＮＵとの間の光信号のやり取りによって各光モジュールに設けた半導体レーザーの出力光レベルを適正値に自動調整しているので、各インターフェースボード毎に光減衰器を設ける必要がなくなる。
【実施例２】
【００２９】
次に、図６を参照して、本発明の実施例２の出力光レベルの自動調整シーケンスを説明する。図６は、本発明の実施例２の運用時の出力光レベルの自動再調整シーケンスの説明図である。
【００３０】
ａ．まず、監視制御部において、運用時において、予め設定した再調整時間の到来を検知する。この再調整時間は、ＯＬＴに接続されているＯＮＵの運用環境等により再調整頻度が異なるので、ＯＬＴの監視制御部に運用環境に応じて再調整時間を変更する機能を持たせる。なお、再調整頻度は、例えば、１回／日であり、再調整に必要な所要時間は、例えば、数秒程度である。
ｂ．次いで、監視制御部からＩＦへ出力光レベル再調整要求を行う。
ｃ．次いで、指令に基づいて、再調整の必要があるか否かを確認し、必要がある場合のみに、運用を中断して、ＩＦはその旨の信号を、ＩＦの半導体レーザーの運用のために設定した強度の光出力によりＯＮＵへ送信して、ＯＮＵの受光レベルと出力レベルを要求する。
ｄ．次いで、ＯＮＵの光モジュールのＡＰＤによりＩＦからの光信号を検出して、その出力をＡＳＩＣに出力し、ＡＳＩＣはその受光レベルについての情報をＯＮＵの光モジュールの半導体レーザーの運用のために設定した強度の光信号によりＩＦに送信することで、ＯＮＵ受光レベル応答及び出力レベル応答を実行する。
ｅ．次いで、ＩＦの光モジュールのＡＰＤがこの光信号を検出して、光信号中の受光レベル情報により、ＩＦの光モジュールの半導体レーザーの出力光レベルが適正範囲内であるか否かを、ＩＦに備えたＡＳＩＣで判定する。また、それと並行して、ＩＦの光モジュールのＡＰＤの受光レベルにより、ＯＮＵの光モジュールの半導体レーザーの出力レベルが適正な範囲内であるか否かをＩＦに備えたＡＳＩＣで判定する。それぞれの半導体レーザーの出力光レベルが適正になるまで、光信号のやり取りを繰り返し、出力光レベルが適正になった場合の駆動電圧値は各ＡＳＩＣにメモリする。
ｆ．次いで、各半導体レーザーの出力光レベルが適正になった場合には、出力光レベル調整終了応答を監視制御部へ送信し、監視制御部では、設定した各出力光レベルに関する情報をＭＰＵにメモリすることによって、一つのＯＮＵについての出力光レベル再調整が終了する。出力光レベル再調整が終了すると接続を確立して再び運用を開始する。このような、出力光レベルの再調整を各ＯＮＵの運用環境に応じて設定した再調整時間に基づいて順次実行する。
【００３１】
このように、本発明の実施例２においては、運用中に定期的に出力光レベルを自動再調整しているので、運用環境の変化により必要とされる出力光レベルより強い出力光レベルで出力されていた場合に、出力を適正値に再調整しているので、省電力化が可能になる。例えば、環境温度が低下した場合には、半導体レーザーの光出力は増加する。
【００３２】
また、運用環境によって分岐光ファイバーが劣化して伝送される光信号が減衰して光通信が不安定になる場合には、定期的な再調整によりＩＦの光モジュール及びＯＮＵの光モジュールの出力光レベルを高めるように再調整するので、安定した光通信を実現することができる。
【実施例３】
【００３３】
次に、図７を参照して、本発明の実施例３の出力光レベルの自動調整シーケンスを説明する。図７は、本発明の実施例３の加入者側回線終端装置の新規接続時の出力光レベルの自動調整シーケンスの説明図である。
【００３４】
ａ．まず、ＩＦの光モジュールから定期的に送信されている光信号を新規接続ＯＮＵのＡＰＤで受信し、その信号に対して半導体レーザーから応答信号を送信することによって、信号検出が成立する。
ｂ．次いで、ＩＦから監視制御部へ信号検出の通知を行う。
ｃ．次いで、監視制御部からのＩＦへ新規接続ＯＮＵの出力光レベル調整要求を行う。
ｄ．次いで、指令に基づいて、ＩＦはその旨の信号を、新規接続ＯＮＵへ送信して、新規接続ＯＮＵの受光レベルと出力レベルを要求する。
【００３５】
この時、新規接続ＯＮＵとＯＬＴとの距離が、現在接続されている他のＯＮＵより離れた距離にあり、定期的に調整した運用中のＩＦの光モジュールの出力光レベルが十分でないために新規接続ＯＮＵまで光信号が届かず、新規接続ＯＮＵが接続されたことが検出されない場合がある。  
【００３６】
そこで、ＩＦの光モジュールの出力光レベルを定期的に調整した出力光レベルより強いレベルに設定した光信号を送信する。但し、現在接続されている他のＯＮＵの光モジュールのＡＰＤが損傷を受けない許容範囲内の出力光レベルとする。
【００３７】
ｅ．次いで、新規接続ＯＮＵの光モジュールのＡＰＤによりＩＦからの光信号を検出して、その出力をＡＳＩＣに出力し、ＡＳＩＣはその受光レベルについての情報を新規接続ＯＮＵの光モジュールの半導体レーザーの運用のために設定した強度の光信号によりＩＦに送信することで、新規接続ＯＮＵ受光レベル応答及び出力レベル応答を実行する。
ｆ．次いで、ＩＦの光モジュールのＡＰＤがこの光信号を検出して、光信号中の受光レベル情報により、ＩＦの光モジュールの半導体レーザーの出力光レベルが適正範囲内であるか否かを、ＩＦに備えたＡＳＩＣで判定する。また、それと並行して、ＩＦの光モジュールのＡＰＤの受光レベルにより、新規接続ＯＮＵの光モジュールの半導体レーザーの出力レベルが適正な範囲内であるか否かをＩＦに備えたＡＳＩＣで判定する。それぞれの半導体レーザーの出力光レベルが適正になるまで、光信号のやり取りを繰り返し、出力光レベルが適正になった場合の駆動電圧値は各ＡＳＩＣにメモリする。
ｇ．次いで、各半導体レーザーの出力光レベルが適正になった場合には、出力光レベル調整終了応答を監視制御部へ送信し、監視制御部では、ＭＰＵにメモリしたＩＦの光モジュールの半導体レーザーの新規接続ＯＮＵを含む全てのＯＮＵ毎に設定した出力光レベルの中での最大の出力光レベルの値に設定するようにＩＦのＡＳＩＣにその設定値をメモリすることによって、接続が確立する。
【００３８】
このように、本発明の実施例３においては、ＯＮＵを新規に追加接続した場合に、インターフェースボードの出力光レベルを定期的に調整した出力光レベルより強いレベルに設定して光信号を送信しているので、新規接続ＯＮＵの接続を確実に検出して接続確立を行うことができる。
【００３９】
以上、実施例１乃至実施例３を含む本発明の実施の形態を説明してきたが、本発明は、上で説明した構成に限られるものではなく、各種の変更が可能である。例えば、図２に示した光モジュールは一例にすぎず、上記の特許文献１或いは特許文献２をはじめとする公知文献に示された各種の光モジュールにも適用されるものである。
【００４０】
また、図１に示したＧＥ−ＰＯＮシステムは、二重化していないが、安全を高めるために加入者側回線終端装置側に正常時使用光モジュールと異常時使用光モジュールを備えた二重化ＧＥ−ＰＯＮシステム（例えば、特開２００８−２２７７８２号公報参照）にも適用されるものである。この場合には、接続確立に先立って、正常時使用光モジュールと異常時使用光モジュールの両者に対して出力光レベルを自動調整することになる。
【００４１】
また、上記の実施例１乃至実施例３を含む本発明の実施の形態においては、基幹光ファイバーから分岐光ファイバーへ光分岐する際に光スターカプラーを用いているが、光スターカプラーの代わりに、多段構成した光スプリッターを用いても良い。
【符号の説明】
【００４２】
１０，５０  局側回線終端装置
１１，５１  インターフェースボード
１２  ＡＳＩＣ
１６，５６  監視制御部
１７，５７  ＭＰＵ
２０，５２  光モジュール
２１  ＷＤＭフィルター
２２  アバランシェフォトダイオード
２３  プリアンプ
２４  増幅器
２５  光アイソレーター
２６  半導体レーザー
２７  モニター用フォトダイオード
２８  駆動回路
３０，６０  加入者側回線終端装置
３１，６１  光モジュール
３２，５３，６２  ＡＳＩＣ
４１，７１  基幹光ファイバー
４２，７２  光スターカプラー
４３，７３  分岐光ファイバー
５４，５８  ＦＰＧＡ
５９  光減衰器
【図１】
2012151739.tif 000003
【図２】
2012151739.tif 000004
【図３】
2012151739.tif 000005
【図４】
2012151739.tif 000006
【図５】
2012151739.tif 000007
【図６】
2012151739.tif 000008
【図７】
2012151739.tif 000009
【図８】
2012151739.tif 000010
【図９】
2012151739.tif 000011